(57)【特許請求の範囲】
【請求項１】
室内側からドアロック機構を解除できるインサイドハンドルユニット（４０）を装備した自動車用ドアトリム（１０）であって、インサイドハンドルユニット（４０）がドアトリム本体（２０）の裏面側に装着固定され、ドアトリム本体（２０）に設けた開口（２６）を通してインサイドハンドルユニット（４０）の操作ハンドル（４１）を室内側に露出させる一方、ドアトリム本体（２０）表面のウエスト部に沿って、ウエストフィニッシャー（３０）が装着固定され、ドアトリム本体（２０）、ウエストフィニッシャー（３０）及びインサイドハンドルユニット（４０）の三者をモジュール化するとともに、このウエストフィニッシャー（３０）に、インサイドハンドルユニット（４０）を包囲し、インサイドハンドルエスカッションとして機能するインサイドハンドル収容凹部（３２）が設けられていることにより、外観上の一体感が付与されていることを特徴とする自動車用ドアトリム。
【請求項２】
室内側からドアロック機構を解除できるインサイドハンドルユニット（４０）を装備した自動車用ドアトリム（１０）であって、インサイドハンドルユニット（４０）がドアトリム本体（２０）の裏面側に装着固定され、ドアトリム本体（２０）に設けた開口（２６）を通してインサイドハンドルユニット（４０）の操作ハンドル（４１）を室内側に露出させるとともに、インサイドハンドルユニット（４０）は、ドアトリム本体（２０）の裏面にブラケット（８０）を介して取り付けられ、ドアトリム本体（２０）の開口縁部（２６ａ）に沿って表皮材（２２）が巻込み処理されていることを特徴とする自動車用ドアトリム。
【発明の詳細な説明】
【０００１】
【発明の属する技術分野】
この発明は、インサイドハンドルユニットをモジュール化した自動車用ドアトリムに係り、特に、インサイドハンドルユニット近傍部分の外観見栄えを高めた自動車用ドアトリムに関する。
【０００２】
【従来の技術】
図８はドアパネルに内装される自動車用ドアトリム１を示すもので、通常、ドアトリム１には、ドアロック機構を室内側から解除できるインサイドハンドルユニット２が備わっている。
【０００３】
ところで、上記自動車用ドアトリム１及びインサイドハンドルユニット２を車体パネルに取り付けるには、図９に示すように、まず、車体パネル３に対してインサイドハンドルユニット２をビス４を介して取り付け、このインサイドハンドルユニット２の操作ハンドル２ａを室内側に露出するために、ドアトリム１に開口１ａを開設し、車体パネル３にビス固定されているインサイドハンドルユニット２に対応して開口１ａを基にドアトリム１を位置決めし、車体パネル３に固定した後、外観性能を高めるために、インサイドハンドルエスカッション５及びキャップ６を取り付けている。
【０００４】
すなわち、インサイドハンドルエスカッション５は、インサイドハンドルユニット２の両側面に設けた係止片２ｂをインサイドハンドルエスカッション５の係止孔５ａに係着させることにより、インサイドハンドルエスカッション５が取り付けられるとともに、ドアトリム１の開口１ａ縁部を体裁良く仕上げるために、インサイドハンドルエスカッション５の周縁にはフランジ７が形成されている。
【０００５】
【発明が解決しようとする課題】
このように、従来、ドアトリム１に取り付けられるインサイドハンドルユニット２は、車体パネル３にまずインサイドハンドルユニット２をビス４止め固定した後、車体パネル３にドアトリム１を装着し、ドアトリム１に開設されている開口１ａを通してインサイドハンドルエスカッション５をインサイドハンドルユニット２に組付け固定しているのが実情である。
【０００６】
従って、インサイドハンドルユニット２及びドアトリム１の取付誤差、寸法誤差等により、インサイドハンドルユニット２の取付位置とドアトリム１の開口１ａとに位置ずれが生じやすく、この位置ずれを吸収するように大きめに開設した開口１ａを隠すために、インサイドハンドルエスカッション５の周縁に設けるフランジ７のフランジ幅（図９中ｄで示す）の寸法を大きくとる必要があり、造形デザインに大きな制約を受けるとともに、乗員に外観上の違和感を与え易く、外観意匠性を損なうという問題点が指摘されている。
【０００７】
また、インサイドハンドルエスカッション５は、インサイドハンドルユニット２に対して爪固定で装着されているため、取付強度的にも満足のいくものではなく、インサイドハンドルエスカッション５のフランジ７とドアトリム１の表面との間にスキが生じやすく、このことも外観見栄えの低下を招く大きな要因となっている。
【０００８】
この発明は、このような事情に鑑みてなされたもので、インサイドハンドルユニットをドアトリム本体にモジュール化することにより、インサイドハンドルエスカッション部分の構造を簡素化でき、かつ外観見栄えを向上させるようにした自動車用ドアトリムを提供することを目的としている。
【０００９】
【課題を解決するための手段】
上記目的を達成するために、本願の請求項１に記載の発明は、室内側からドアロック機構を解除できるインサイドハンドルユニットを装備した自動車用ドアトリムであって、インサイドハンドルユニットがドアトリム本体の裏面側に装着固定され、ドアトリム本体に設けた開口を通してインサイドハンドルユニットの操作ハンドルを室内側に露出させる一方、ドアトリム本体表面のウエスト部に沿って、ウエストフィニッシャーが装着固定され、ドアトリム本体、ウエストフィニッシャー及びインサイドハンドルユニットの三者をモジュール化するとともに、このウエストフィニッシャーに、インサイドハンドルユニットを包囲し、インサイドハンドルエスカッションとして機能するインサイドハンドル収容凹部が設けられていることにより、外観上の一体感が付与されていることを特徴とする。
【００１０】
従って、請求項１に記載の発明によれば、インサイドハンドルユニットをドアトリム本体の裏面側に固定するという構成であるため、インサイドハンドルユニットとドアトリム本体との間の取付誤差が生じることがない。
【００１２】
そして、請求項１に記載の発明によれば、ドアトリム本体裏面にインサイドハンドルユニットを固定する一方、ユニット対応部分に開口を設け、この開口縁部を隠すように、ドアトリム本体のウエスト部分に装着されるウエストガーニッシュにインサイドハンドルエスカッション機能をもたせるという構成であるため、従来のインサイドハンドルエスカッションのような違和感を与えることがない。
【００１５】
また、本願の請求項２に記載の発明は、室内側からドアロック機構を解除できるインサイドハンドルユニットを装備した自動車用ドアトリムであって、インサイドハンドルユニットがドアトリム本体の裏面側に装着固定され、ドアトリム本体に設けた開口を通してインサイドハンドルユニットの操作ハンドルを室内側に露出させるとともに、インサイドハンドルユニットは、ドアトリム本体の裏面にブラケットを介して取り付けられ、ドアトリム本体の開口縁部に沿って表皮材が巻込み処理されていることを特徴とする。
【００１６】
そして、請求項２に記載の発明によれば、インサイドハンドルユニットをブラケットを介してドアトリム本体裏面に固定するとともに、インサイドハンドルを室内側に露出させるためにドアトリム本体に開口を設け、この開口縁部は、表皮材が巻込み処理されているため、インサイドハンドル設置箇所はシンプルな外観が得られる。
【００１７】
【発明の実施の形態】
以下、本発明に係る自動車用ドアトリムの実施形態について、添付図面を参照しながら詳細に説明する。
【００１８】
図１は本発明に係る自動車用ドアトリムの第１実施形態を示す正面図、図２は同自動車用ドアトリムの構成を示す分解斜視図、図３は同自動車用ドアトリムにおけるインサイドハンドル取付部分の構成を示す断面図、図４は同自動車用ドアトリムにおけるドアトリムとインサイドハンドルユニットの取付構造を示す説明図、図５は同自動車用ドアトリムにおけるウエストフィニッシャーとインサイドハンドルユニットの取付構造を示す説明図である。更に、図６は本発明に係る自動車用ドアトリムの第１実施形態の変形態様を示す断面図、図７は本発明に係る自動車用ドアトリムの第２実施形態を示す断面図である。
【００１９】
図１乃至図３に基づいて、本発明に係る自動車用ドアトリム１０の構成について説明すると、自動車用ドアトリム１０は、ベースとなるドアトリム本体２０と、このドアトリム本体２０の表面ウエスト部に沿って外観性能を高めるために装着されるウエストフィニッシャー３０と、ドアトリム本体２０の裏面側に取り付けられ、ドアロックを室内側からロック解除ができるインサイドハンドルユニット４０とから大略構成されている。
【００２０】
更に詳しくは、上記ドアトリム本体２０は、タルクを混入したＰＰ（ポリプロピレン）樹脂のモールドプレス成形体からなる樹脂芯材２１と、塩ビシート、ＴＰＯ（サーモプラスチックオレフィン）シート等のトップ層の裏面にポリエチレンフォーム等のクッション層を裏打ちした積層シート材料からなる表皮材２２とから構成されており、更に表面中接部分には、クロス等の装飾シート２３が圧着固定されている。
【００２１】
そして、ドアトリム本体２０の表面略中央部には、乗員が肘を掛けて休めるように車室内側に膨出するようにアームレスト１１が形成され、その下側には、ドアポケット１２並びにスピーカグリル１３が形成されている。
【００２２】
次いで、ドアトリム本体２０のウエスト部表面に装着固定されるウエストフィニッシャー３０は、長尺状の合成樹脂成形体からなり、表面はシルク印刷等により木目模様等の意匠模様が形成されており、ウエストフィニッシャー３０の裏面側には、長手方向に沿って所定間隔をおいて取付用ボス３１が突設形成されているとともに、インサイドハンドルユニット４０設置箇所に対応してユニット収容凹部３２が図３乃至図５に示す形状、すなわち、一部を切り欠いたボックス状に成形されている。
【００２３】
また、ウエストフィニッシャー３０の構成としては、表面に意匠模様を印刷する他に、樹脂成形体のベースに木目板等をインモールド成形により一体化しても良い。
【００２４】
一方、このウエストフィニッシャー３０を取り付けるドアトリム本体２０のウエスト部表面は、図２に示すように、ウエストフィニッシャー３０を収容する収容溝部２４として形成され、この収容溝部２４には、ウエストフィニッシャー３０の取付用ボス３１に対応する取付孔２５が複数箇所に開設されており、かつインサイドハンドル４０設置箇所には、ウエストフィニッシャー３０にボックス状に形成されているユニット収容凹部３２を嵌め込むための開口２６が設けられている。
【００２５】
更に、インサイドハンドルユニット４０は、ドアロック機構を解除する操作ハンドル４１を備えており、本発明においては、インサイドハンドルユニット４０をドアトリム本体２０とモジュール化を図るために、図４に示すように、インサイドハンドルユニット４０の上端に取付片４２が上方に向けて突設形成され、ドアトリム本体２０の裏面に突設形成したビス孔を有する取付用ボス２７にビス２７ａを締付け固定することにより、インサイドハンドルユニット４０がドアトリム本体２０の裏面側に固定される。
【００２６】
その後、ドアトリム本体２０のウエスト部に形成した収容溝部２４内にウエストフィニッシャー３０を嵌め込み、ウエストフィニッシャー３０の裏面に立設した取付用ボス３１をドアトリム本体２０の取付孔２５内に差し込み、取付用ボス３１の先端を超音波カシメ加工、又は熱溶着カシメ加工によりカシメ加工を施すか、あるいはプッシュナットを嵌着するか、ビス止め固定等の機械止めを使用して、ドアトリム本体２０のウエスト部にウエストフィニッシャー３０を取り付ける。
【００２７】
更に、このウエストフィニッシャー３０をドアトリム本体２０に取り付ける際、ドアトリム本体２０に設けられている開口２６内にウエストフィニッシャー３０のユニット収容凹部３２を嵌め込めば、図４に示すように、ユニット収容凹部３２の切欠き部３２ａを通して操作ハンドル４１が室内側に臨み、かつユニット収容凹部３２の開口縁部３２ｂがインサイドハンドルユニット４０の外周に位置し、インサイドハンドルエスカッションとして機能する。
【００２８】
一方、ウエストフィニッシャー３０とインサイドハンドルユニット４０は、図５に示すように、ウエストフィニッシャー３０の裏面側に立設したビス孔を有する取付用ボス３３に対してインサイドハンドルユニット４０の取付片４３の取付孔４３ａにビス４３ｂを締付け固定することにより取り付けられ、インサイドハンドルユニット４０のビス４３ｂ止め箇所反対他端には、ウエストフィニッシャー３０のユニット収容凹部３２側面に係止片３４が形成され、この係止片３４はドアトリム本体２０の開口縁部２６ａと係着している。
【００２９】
従って、上述したように、ドアトリム本体２０、ウエストフィニッシャー３０、インサイドハンドルユニット４０をモジュール化したものを車体パネル５０に取り付ければ良く、図３に示すように、車体パネル５０の取付孔５０ａに対してウエストフィニッシャー３０とインサイドハンドルユニット４０とを取付用ビス５１により共締め固定した後、この取付用ビス５１の頭部を隠すために、図３，図５に示すように、樹脂成形体からなるキャップ６０を被覆し、キャップ６０の裏面に突設形成した係止爪６１をウエストフィニッシャー３０の係止孔３５内に係着固定すれば良い。
【００３０】
このように、本発明に係る自動車用ドアトリム１０は、インサイドハンドルユニット４０をドアトリム本体２０の裏面側に取り付け、モジュール化したため、従来生じていたドアトリム本体２０とインサイドハンドルユニット４０との間の取付誤差という問題が解消され、ドアトリム本体２０に開設される開口２６は、最小限度の大きさで済み、エスカッションを取り付ける場合には、エスカッションのフランジ幅を狭く設定できる。
【００３１】
また、本実施形態のように、ウエストフィニッシャー３０によりエスカッションを兼用する場合には、ウエストフィニッシャー３０の幅寸法に制約を受けることがない等、インサイドハンドルユニット４０をドアトリム本体２０の裏面側にモジュール化したことにより、取付誤差を考慮する必要がなく、造形自由度を高めることができる。
【００３２】
更に、本実施形態のように、ドアトリム本体２０のウエスト部に沿ってウエストフィニッシャー３０を装着して、このウエストフィニッシャー３０にインサイドハンドルエスカッション機能をもたせることにより、外観上の一体感が図れ、外観性能が向上するとともに、ウエストフィニッシャー３０はドアトリム本体２０に対して複数の取付ポイントで固定され、かつインサイドハンドルユニット４０は、ドアトリム本体２０及びウエストフィニッシャー３０にそれぞれ独立してビス止め固定されるため、インサイドハンドルユニット４０の取付強度を高めることができ、しかも、インサイドハンドルエスカッション周囲にスキ発生等の不具合が生じることがない。
【００３３】
次いで、図６は上述した第１実施形態に更に付加価値を高めるために、ウエストフィニッシャー３０に設けたユニット収容凹部３２に照明機構７０を付設したもので、ランプ７１を有するランプハウジング７２をユニット収容凹部３２の上側の壁面に取り付け、照明用窓３６を開設することにより、夜間等、インサイドハンドル４０の操作ハンドル４１を操作する際、操作ハンドル４１の位置を簡単に確認でき、使い勝手を高めることができ、かつ照明機構７０をウエストフィニッシャー３０で強固に支持できる。
【００３４】
更に、図７は本発明の第２実施形態を示すもので、インサイドハンドルユニット４０をドアトリム本体２０の裏面側にモジュール化することは第１実施形態と同様であるが、インサイドハンドルユニット４０は、取付用ブラケット８０を介してドアトリム本体２０の裏面側に固定されており、この第２実施形態では、開口２６周縁部に沿ってドアトリム本体２０は表皮材２２を巻き込んで、開口２６周縁部の端末処理を行なっている。従って、インサイドハンドルユニット４０を室内側から見たとき、フランジがないため、シンプルな外観が得られ、意匠性を向上させることができ、エスカッションを廃止できることから、部品点数も削減でき、コストダウンも見込めるという有利さがある。
【００３５】
【発明の効果】
以上説明した通り、本発明に係る自動車用ドアトリムによれば、インサイドハンドルユニットをドアトリム本体裏面側にモジュール化するという構成を採用したため、従来のようにインサイドハンドルユニットとドアトリム本体の間の取付誤差が生じることがないことから、開口縁部を塞ぐエスカッションのフランジを広く設定する必要がなく、単に開口縁部を塞ぐエスカッションを取り付ける場合は、フランジ幅を狭く設定でき、また、ウエストフィニッシャーでインサイドハンドルエスカッションを共用する場合には、外観上の一体感が得られ、更に、エスカッションを廃止して、ドアトリム本体の表皮材を巻込み処理すれば、シンプルな外観が得られるなど、外観上の造形自由度にバリエーションをもたせることができるという効果を有する。
【００３６】
更に、インサイドハンドルユニットをドアトリム本体裏面にモジュール化するとともに、ウエストフィニッシャーにインサイドハンドルユニットの収容部を形成するという構成を採用すれば、ウエストフィニッシャーにインサイドハンドルエスカッション機能をもたせることができるとともに、インサイドハンドルユニットは、ドアトリム本体とウエストフィニッシャー双方に支持されるという構成であることから、取付強度を強化できるため、ドアトリムとエスカッションとの間にスキが発生するという不具合がなく、長期に亘り良好な外観が得られるという効果を有する。
【００３７】
また、ドアトリム本体のウエスト部に装着されるウエストフィニッシャーにユニット収容凹部を設け、インサイドハンドルエスカッション機能をもたせる構成を利用して、照明機構をユニット収容凹部に付設すれば、夜間時等でも操作ハンドル位置を迅速に確認でき、使い勝手を高めることができるという効果を有する。
【図面の簡単な説明】
【図１】本発明に係る自動車用ドアトリムの第１実施形態を示す正面図である。
【図２】図１に示す自動車用ドアトリムの構成を示す分解斜視図である。
【図３】図１中III −III 線断面図である。
【図４】図１に示す自動車用ドアトリムにおけるドアトリム本体とインサイドハンドルユニットとの取付構造を示す説明図である。
【図５】図１に示す自動車用ドアトリムにおけるウエストフィニッシャーとインサイドハンドルユニットとの取付構造を示す説明図である。
【図６】本発明に係る自動車用ドアトリムの第１実施形態における照明機構を付設した変形例を示す断面図である。
【図７】本発明に係る自動車用ドアトリムの第２実施形態を示すインサイドハンドルユニットの取付部分を示す断面図である。
【図８】従来の自動車用ドアトリムを示す正面図である。
【図９】図８中IX−IX線断面図であり、インサイドハンドルユニットの取付部分を示す断面図である。
【符号の説明】
１０  自動車用ドアトリム
１１  アームレスト
１２  ドアポケット
１３  スピーカグリル
２０  ドアトリム本体
２１  樹脂芯材
２２  表皮材
２３  装飾シート
２４  収容溝部
２５  取付孔
２６  開口
２７  取付用ボス
３０  ウエストフィニッシャー
３１  取付用ボス
３２  ユニット収容凹部
３３  取付用ボス
３４  係止片
３５  係止孔
３６  照明用窓
４０  インサイドハンドルユニット
４１  操作ハンドル
４２，４３  取付片
５０  車体パネル
５１  取付用ビス
６０  装飾キャップ
６１  係止爪
７０  照明機構
７１  ランプ
７２  ランプハウジング
８０  取付用ブラケット
【図１】
0003918978.tif 000002
【図２】
0003918978.tif 000003
【図３】
0003918978.tif 000004
【図４】
0003918978.tif 000005
【図５】
0003918978.tif 000006
【図６】
0003918978.tif 000007
【図７】
0003918978.tif 000008
【図８】
0003918978.tif 000009
【図９】
0003918978.tif 000010